(57)【要約】【課題】照明、看板、モニター等のバックライト、遊技（ゲーム）装置等に用いて好適な調色光が得られる光源装置を提供する。【解決手段】光源装置は、少なくとも１つの赤色発光ダイオード素子ＬＥＤＲと緑色発光ダイオード素子ＬＥＤＧと青色発光ダイオード素子ＬＥＤＢとによって構成される光源部ＬＳと、光源部ＬＳを構成する赤色発光ダイオード素子ＬＥＤＲと緑色発光ダイオード素子ＬＥＤＧと青色発光ダイオード素子ＬＥＤＢとをそれぞれ独立して制御可能な制御部ＣＯＮと、光源部ＬＳ及び制御部ＣＯＮに対して電力を供給する電源部ＰＳとを具備する。【選択図】  図１
2008085324.tif 000002
【特許請求の範囲】
【請求項１】
少なくとも１つの赤色発光ダイオード素子と緑色発光ダイオード素子と青色発光ダイオード素子とによって構成される光源部と、
前記光源部を構成する前記赤色発光ダイオード素子と前記緑色発光ダイオード素子と前記青色発光ダイオード素子とを、それぞれ独立して制御可能な制御部と、
前記光源部及び前記制御部に対して電力を供給する電源部とを具備することを特徴とする光源装置。
【請求項２】
前記赤色発光ダイオード素子、前記緑色発光ダイオード素子及び前記青色発光ダイオード素子が、同一回路基板上に実装されていることを特徴とする請求項１に記載の光源装置。
【請求項３】
前記光源部は、前記赤色発光ダイオード素子、前記緑色発光ダイオード素子及び前記青色発光ダイオード素子からなる複数組によって構成されており、
前記複数組は、前記同一回路基板上に一定間隔で実装されていることを特徴とする請求項２に記載の光源装置。
【請求項４】
前記赤色発光ダイオード素子、前記緑色発光ダイオード素子及び前記青色発光ダイオード素子が、フェイスアップ型の発光ダイオード素子によって構成されていることを特徴とする請求項１乃至３のいずれか一項に記載の光源装置。
【請求項５】
前記赤色発光ダイオード素子の発光光度、前記緑色発光ダイオード素子の発光光度及び前記青色発光ダイオード素子の発光光度が略等しいように構成されていることを特徴とする請求項１乃至３のいずれか一項に記載の光源装置。
【請求項６】
前記赤色発光ダイオード素子の数、前記緑色発光ダイオード素子の数及び前記青色発光ダイオード素子の数が異なるように構成されていることを特徴とする請求項１乃至５のいずれか一項に記載の光源装置。
【請求項７】
前記赤色発光ダイオード素子、前記緑色発光ダイオード素子及び前記青色発光ダイオード素子が、並列に配置されていることを特徴とする請求項１乃至６のいずれか一項に記載の光源装置。
【請求項８】
前記赤色発光ダイオード素子、前記緑色発光ダイオード素子及び前記青色発光ダイオード素子が、同一円周上に配置されていることを特徴とする請求項１乃至６のいずれか一項に記載の光源装置。
【請求項９】
共通の電源部によって、前記光源部を構成する前記赤色発光ダイオード素子と前記緑色発光ダイオード素子と前記青色発光ダイオード素子とに対して電力が供給されるように構成されており、
前記制御部は、前記共通の電源部と前記赤色発光ダイオード素子との間に直列に接続されている第１可変抵抗器と、前記共通の電源部と前記緑色発光ダイオード素子との間に直列に接続されている第２可変抵抗器と、前記共通の電源部と前記青色発光ダイオード素子との間に直列に接続されている第３可変抵抗器とを具備することを特徴とする請求項１乃至８のいずれか一項に記載の光源装置。
【請求項１０】
前記制御部は、前記光源部に供給する電力のパルス幅のＤｕｔｙ比を変更することができるＰＷＭ制御回路を具備することを特徴とする請求項１乃至９のいずれか一項に記載の光源装置。
【請求項１１】
前記制御部は、外気温に応じて、前記光源部を構成する前記赤色発光ダイオード素子と前記緑色発光ダイオード素子と前記青色発光ダイオード素子とを制御するように構成されていることを特徴とする請求項１乃至１０のいずれか一項に記載の光源装置。
【請求項１２】
前記制御部は、外部から入力された所定信号に応じて、前記光源部を構成する前記赤色発光ダイオード素子と前記緑色発光ダイオード素子と前記青色発光ダイオード素子とを制御するように構成されていることを特徴とする請求項１乃至１１のいずれか一項に記載の光源装置。
【請求項１３】
前記制御部は、特定時間に、前記光源部を構成する前記赤色発光ダイオード素子、前記緑色発光ダイオード素子及び前記青色発光ダイオード素子の少なくとも１つを点滅させるように構成されていることを特徴とする請求項１乃至１２のいずれか一項に記載の光源装置。
【発明の詳細な説明】
【技術分野】
【０００１】
本発明は、照明、看板、モニター等のバックライト、表示・標識、遊技（ゲーム）装置等に用いて好適な調色光が得られる光源装置に関する。
【背景技術】
【０００２】
現在、照明、表示装置又は遊技装置等に用いられている光源には、白熱電球、蛍光灯、発光ダイオード等が用いられ、これまで、それぞれに明るさや色の鮮やかさの改善、省エネルギー化、高効率化、長寿命化の改善がなされてきた。
【０００３】
また、周囲の明るさに応じて光源の明るさを手動又は自動にて調整できる、所謂、「調光光源」も良く用いられている。
【０００４】
一方、我々の実生活においては、季節や時間により照明の色を変化させたいとか、看板等においては、表示対象によって光源の色を変えたいとか、遊技装置等においては、ゲームの進行と内容とによって表示色を変えたいとか、の必要性や欲求が人間生活の高度化と共に高まっている。
【０００５】
近年、この種の光源装置では、例えば、電気信号を光信号に変換する手段として回路基板上に発光素子を実装した光素子モジュール構造が提案されている。
【０００６】
なお、この種の従来技術に関しては、例えば、下記特許文献１を挙げることができる。
【特許文献１】特開２００４−１８６５１４号公報
【発明の開示】
【発明が解決しようとする課題】
【０００７】
しかしながら、これらの光源装置は、発光色という点から見ると、白熱電球の場合は白熱色であり、蛍光灯の場合は蛍光色であり、特定の希望の色を得ようとすると、電球や蛍光灯のガラス部分を特定色に着色するか、または光源から出た光をフィルタを透して対象物に照射するしか方法がなく、その場合でも、使用者や利用者が希望に応じて色を自由に変えることが不可能であるという課題があった。
【０００８】
また、近年では、その利用が着目され、各分野で使われ始めている発光ダイオード素子においても、得られる色は、赤色、緑色、青色、黄色、白色等の特定色であり、使用者や利用者が希望に応じて色を自由に変えられるものは、これまでに存在しなかった。
【０００９】
そこで、本発明は、上述の課題に鑑みてなされたものであり、これまでの光源装置では得られなかった非調色性能を解決し、使用者や利用者が希望に応じて色を自由に変えられる光源装置（調色光源装置）を提供することを目的とする。
【００１０】
なお、「調色光源」とは、明るさを変更することができる「調光光源」に対して、色を変更することができる光源のことを言う。
【課題を解決するための手段】
【００１１】
本発明の第１の特徴は、少なくとも１つの赤色発光ダイオード素子と緑色発光ダイオード素子と青色発光ダイオード素子とによって構成される光源部と、前記光源部を構成する前記赤色発光ダイオード素子と前記緑色発光ダイオード素子と前記青色発光ダイオード素子とを、それぞれ独立して制御可能な制御部と、前記光源部及び前記制御部に対して電力を供給する電源部とを具備することを要旨とする。
【００１２】
かかる発明によれば、制御部が、赤色発光ダイオード素子、緑色発光ダイオード素子及び青色発光ダイオード素子を制御することで、光源部からの出射光を任意の色に調整可能となるので、背景技術の課題を解決することができる。
【００１３】
本発明の第１の特徴において、前記赤色発光ダイオード素子、前記緑色発光ダイオード素子及び前記青色発光ダイオード素子が、同一回路基板上に実装されていてもよい。
【００１４】
かかる発明によれば、上述のように、制御部によって光源部からの出射光を任意の色に調整可能であるため、色のばらつきを抑えつつ、ＲＧＢの発光素子を１つのパッケージに入れることができる。
【００１５】
本発明の第１の特徴において、前記光源部は、前記赤色発光ダイオード素子、前記緑色発光ダイオード素子及び前記青色発光ダイオード素子からなる複数組によって構成されており、前記複数組は、前記同一回路基板上に一定間隔で実装されていてもよい。
【００１６】
本発明の第１の特徴において、前記赤色発光ダイオード素子、前記緑色発光ダイオード素子及び前記青色発光ダイオード素子が、並列に配置されていてもよい。
【００１７】
本発明の第１の特徴において、前記赤色発光ダイオード素子、前記緑色発光ダイオード素子及び前記青色発光ダイオード素子が、同一円周上に配置されていてもよい。
【００１８】
本発明の第１の特徴において、前記赤色発光ダイオード素子の発光光度、前記緑色発光ダイオード素子の発光光度及び前記青色発光ダイオード素子の発光光度が略等しいように構成されていてもよい。
【００１９】
これらの発明によれば、光源部からの出射光の明るさのムラを抑えることができる。
【００２０】
本発明の第１の特徴において、前記赤色発光ダイオード素子、前記緑色発光ダイオード素子及び前記青色発光ダイオード素子が、フェイスアップ型の発光ダイオード素子によって構成されていてもよい。
【００２１】
かかる発明によれば、フェイスアップ構造では、発光ダイオード素子の上部に電極が配置されており、発光ダイオード素子の下部は電位的に中空であるため、フェイスアップ型の発光ダイオード素子が、直列に配線することが可能であり、輝度を上げるために複数の発光素子を配置する必要がある（特に、色の管理を容易にするためには、複数の発光素子を直列に配置する必要がある）看板照明を含む照明に対する使用に適している。
【００２２】
本発明の第１の特徴において、前記赤色発光ダイオード素子の数、前記緑色発光ダイオード素子の数及び前記青色発光ダイオード素子の数が異なるように構成されていてもよい。
【００２３】
かかる発明によれば、使用目的に応じた様々な色を出射することができる。
【００２４】
本発明の第１の特徴において、共通の電源部によって、前記光源部を構成する前記赤色発光ダイオード素子と前記緑色発光ダイオード素子と前記青色発光ダイオード素子とに対して電力が供給されるように構成されており、前記制御部は、前記共通の電源部と前記赤色発光ダイオード素子との間に直列に接続されている第１可変抵抗器と、前記共通の電源部と前記緑色発光ダイオード素子との間に直列に接続されている第２可変抵抗器と、前記共通の電源部と前記青色発光ダイオード素子との間に直列に接続されている第３可変抵抗器とを具備してもよい。
【００２５】
本発明の第１の特徴において、前記制御部は、前記光源部に供給する電力のパルス幅のＤｕｔｙ比を変更することができるＰＷＭ制御回路を具備してもよい。
【００２６】
かかる発明によれば、利用者が、適宜、手動又は自動で、光源部からの出射光の色を調節することができる。
【００２７】
本発明の第１の特徴において、前記制御部は、外気温に応じて、前記光源部を構成する前記赤色発光ダイオード素子と前記緑色発光ダイオード素子と前記青色発光ダイオード素子とを制御するように構成されていてもよい。
【００２８】
かかる発明によれば、室内照明として用いられた場合、外気温度に応じて室内照明の設定を演出を行うことによって、省エネ的効果を狙うことができる。
【００２９】
本発明の第１の特徴において、前記制御部は、外部から入力された所定信号に応じて、前記光源部を構成する前記赤色発光ダイオード素子と前記緑色発光ダイオード素子と前記青色発光ダイオード素子とを制御するように構成されていてもよい。
【００３０】
かかる発明によれば、緊急事態の発生時に、防災のカットリレーや放送信号と連動して、各発光ダイオード素子を点滅させることと同時に、緊急レベルを色で表現することができる。
【００３１】
本発明の第１の特徴において、前記制御部は、特定時間に、前記光源部を構成する前記赤色発光ダイオード素子、前記緑色発光ダイオード素子及び前記青色発光ダイオード素子の少なくとも１つを点滅させるように構成されていてもよい。
【００３２】
かかる発明によれば、特定時間に、所定の発光ダイオード素子を点滅させることによって、アイキャッチ効果を行うことが可能となる。
【発明の効果】
【００３３】
以上説明したように、本発明によれば、これまでの光源装置では得られなかった非調色性能を解決し、使用者や利用者が希望に応じて色を自由に変えられる光源装置を提供することができる。
【発明を実施するための最良の形態】
【００３４】
（本発明の第１の実施形態に係る光源装置）
図１を参照して、本発明の第１の実施形態に係る光源装置の構成について説明する。
【００３５】
図１に示すように、本発明の第１の実施形態に係る光源装置は、光源部ＬＳと、制御部ＣＯＮと、電源部ＰＳとを具備している。
【００３６】
光源部ＬＳは、少なくとも１つの赤色発光ダイオード素子ＬＥＤＲと緑色発光ダイオード素子ＬＥＤＧと青色発光ダイオード素子ＬＥＤＢとによって構成されている。
【００３７】
なお、赤色発光ダイオード素子ＬＥＤＲと緑色発光ダイオード素子ＬＥＤＧと青色発光ダイオード素子ＬＥＤＢとからなる組が、同一回路基板（図示せず）上に、互いに近接して並列に配列されて実装されていてもよい。
【００３８】
また、輝度を向上させる目的で、光源部ＬＳが、赤色発光ダイオード素子ＬＥＤＲ、緑色発光ダイオード素子ＬＥＤＧ及び青色発光ダイオード素子ＬＥＤＢからなる複数組によって構成されており、かかる複数組が、同一回路基板上に一定間隔で並列に配列されて実装されていてもよい。
【００３９】
また、赤色発光ダイオード素子ＬＥＤＲ、緑色発光ダイオード素子ＬＥＤＧ及び青色発光ダイオード素子ＬＥＤＢが、フェイスアップ型の発光ダイオード素子によって構成されていてもよい。
【００４０】
また、赤色発光ダイオード素子ＬＥＤＲの発光光度、緑色発光ダイオード素子ＬＥＤＧの発光光度及び青色発光ダイオード素子ＬＥＤＢの発光光度が略等しいように構成されていてもよい。
【００４１】
また、赤色発光ダイオード素子ＬＥＤＲの数、緑色発光ダイオード素子ＬＥＤＧの数及び青色発光ダイオード素子ＬＥＤＢの数が異なるように構成されていてもよい。
【００４２】
また、赤色発光ダイオード素子ＬＥＤＲ、緑色発光ダイオード素子ＬＥＤＧ及び青色発光ダイオード素子ＬＥＤＢが、同一円周上に配置されていてもよい。
【００４３】
制御部ＣＯＮは、光源部ＬＳを構成する赤色発光ダイオード素子ＬＥＤＲと緑色発光ダイオード素子ＬＥＤＧと青色発光ダイオード素子ＬＥＤＢとを、それぞれ独立して制御可能なように構成されている。
【００４４】
例えば、制御部ＣＯＮは、光源部ＬＳを構成する赤色発光ダイオード素子ＬＥＤＲと緑色発光ダイオード素子ＬＥＤＧと青色発光ダイオード素子ＬＥＤＢとを、それぞれ独立して調色調整制御可能な定電流型の制御部である。
【００４５】
制御部ＣＯＮは、赤色発光ダイオード素子ＬＥＤＲを制御する赤色制御部ＣＯＲと、緑色発光ダイオード素子ＬＥＤＧを制御する緑色制御部ＣＯＧと、青色発光ダイオード素子ＬＥＤＢを制御する青色制御部ＣＯＢとを具備している。
【００４６】
また、制御部ＣＯＮは、赤色制御部ＣＯＲと緑色制御部ＣＯＧと青色制御部ＣＯＢとを、それぞれ制御することができる調色調整抵抗器ＶＲＣとを具備している。
【００４７】
かかる調色調整抵抗器ＶＲＣは、赤色制御部ＣＯＲのトランジスタのベース電圧を制御する可変抵抗器ＶＲＲと、緑色制御部ＣＯＧのトランジスタのベース電圧を制御する可変抵抗器ＶＲＧと、青色制御部ＣＯＢのトランジスタのベース電圧を制御する可変抵抗器ＶＲＢとから構成されている。
【００４８】
なお、本明細書では、かかる可変抵抗器ＶＲＲ、ＶＲＧ、ＶＲＢには、電子的に抵抗値を変更可能な電子抵抗器を含むものとする。
【００４９】
また、電源部ＰＳは、光源部ＬＳ及び制御部ＣＯＮのそれぞれに対して所定の電力を供給するように構成されている。
【００５０】
かかる電源部ＰＳは、交流電圧を所定の直流電圧に整流する整流回路ＣＯＭと、かかる整流回路ＣＯＭにより整流された直流電圧を一定電圧値に設定して維持する抵抗器Ｒ及びツェナーダイオードＺＤからなる定電圧回路ＣＣとによって構成されている。
【００５１】
かかる電源部ＰＳの出力の一方は、各発光ダイオード用電源線ＰＬを介して、赤色発光ダイオード素子ＬＥＤＲ、緑色発光ダイオード素子ＬＥＤＧ及び青色発光ダイオード素子ＬＥＤＢの正極側に接続されている。
【００５２】
また、かかる電源部ＰＳの出力の他方は、定電圧回路ＣＣから、制御部ＣＯＮ用電源線ＣＬを介して、調色調整抵抗器ＶＲＣを構成する各可変抵抗器ＶＲＲ、可変抵抗器ＶＲＧ及び可変抵抗器ＶＲＢの正極側にそれぞれ接続されている。
【００５３】
このように構成された光源装置において、調色調整抵抗器ＶＲＣの可変抵抗器ＶＲＲ、可変抵抗器ＶＲＧ及び可変抵抗器ＶＲＢを、それぞれ最小の抵抗値となるように調整した状態では、赤色発光ダイオード素子ＬＥＤＲ、緑色発光ダイオード素子ＬＥＤＧ及び青色発光ダイオード素子ＬＥＤＢに電流が流れないので、光源部ＬＳは、非点灯（輝度が零）状態となる。ここで、最小の抵抗値とは、電位的に零の場合の抵抗値を意味する。
【００５４】
かかる光源部ＬＳの非点灯状態において、可変抵抗器ＶＲＲを調整して抵抗値を上げていくと、赤色制御部ＣＯＲのトランジスタがオンとなり、赤色発光ダイオード素子ＬＥＤＲが赤色に発光し、光源部ＬＳから赤色の出射光が徐々に放射される。
【００５５】
また、かかる状態において、可変抵抗器ＶＲＧを調整して抵抗値を上げていくと、緑色制御部ＣＯＧのトランジスタがオンとなり、緑色発光ダイオード素子ＬＥＤＧが緑色に発光し、光源部ＬＳから結果として赤及び緑の合成色、すなわち、黄色の出射光が徐々に放射される。
【００５６】
さらに、かかる状態において、可変抵抗器ＶＲＢを調整して抵抗値を上げていくと、青色制御部ＣＯＢのトランジスタがオンとなり、青色発光ダイオード素子ＬＥＤＢが青色に発光し、光源部ＬＳから赤と緑と青の合成色、すなわち、白色の出射光が放射される。
【００５７】
また、調色調整抵抗器ＶＲＣの各可変抵抗器ＶＲＲ、可変抵抗器ＶＲＧ及び可変抵抗器ＶＲＢを、それぞれ最大の抵抗値となるように調整することによって、赤色制御部ＣＯＲのトランジスタ、緑色制御部ＣＯＧのトランジスタ及び青色制御部ＣＯＢのトランジスタに最大電流が流れるので、赤色発光ダイオード素子ＬＥＤＲが赤色に発光し、緑色発光ダイオード素子ＬＥＤＧが緑色に発光し、青色発光ダイオード素子ＬＥＤＢが青色に発光して、光源部ＬＳから最大の白色光が放射されることになる。
【００５８】
さらに、調色調整抵抗器ＶＲＣの各可変抵抗器ＶＲＲ、可変抵抗器ＶＲＧ及び可変抵抗器ＶＲＢの抵抗値をそれぞれ適宜可変させることにより、出射光を限りなく三原色に近い赤色、緑色及び青色に調整することができるのみならず、任意の色に調整することによって所望の出射光を得ることができる。
【００５９】
なお、かかる定電流回路ＣＣは、可変抵抗器ＶＲＲ、可変抵抗器ＶＲＧ及び可変抵抗器ＶＲＢの抵抗値を調整することにより、各トランジスタのベース電圧が変わり、これによってコレクタ側の電流値が変わる。
【００６０】
各トランジスタに印加される電圧が変化しても、電流値が一定であり、可変抵抗器ＶＲＲ、可変抵抗器ＶＲＧ及び可変抵抗器ＶＲＢの各抵抗値を変えない限り、電流は常に一定である。
【００６１】
なお、本実施形態では、上述のように、共通の電源部ＰＳによって、光源部ＬＳを構成する赤色発光ダイオード素子ＬＥＤＲと緑色発光ダイオード素子ＬＥＤＧと青色発光ダイオード素子ＬＥＤＢとに対して電力が供給されるように構成されており、制御部ＣＯＮは、共通の電源部ＰＳと赤色発光ダイオード素子ＬＥＤＲとの間に直列に接続されている第１可変抵抗器ＶＲＲと、共通の電源部ＰＳと緑色発光ダイオード素子ＬＥＤＧとの間に直列に接続されている第２可変抵抗器ＶＲＧと、共通の電源部ＰＳと青色発光ダイオード素子ＬＥＤＢとの間に直列に接続されている第３可変抵抗器ＶＲＢとを具備する。
【００６２】
（変更例１）
図２を参照して、本発明の第１の実施形態の変更例１に係る光源装置について説明する。
【００６３】
変更例１に係る光源装置では、制御部ＣＯＮは、外部から入力された所定信号に応じて、光源部ＬＳを構成する赤色発光ダイオード素子ＬＥＤＲと緑色発光ダイオード素子ＬＥＤＧと青色発光ダイオード素子ＬＥＤＢとを制御するように構成されている。
【００６４】
具体的には、変更例１に係る制御部ＣＯＮによれば、図２に示すように、各発光ダイオード素子（図２の例では、赤色発光ダイオード素子ＬＥＤＲ）を駆動する赤色制御部ＣＯＲ（トランジスタ又はＦＥＴ）のベース又はソースに、トランジスタＴｒＲを接続されており、外部からの緊急信号のオン（正電圧（＋））を検出することによって、赤色制御部ＣＯＲがオンになり、各発光ダイオード素子が点灯する。
【００６５】
また、赤色制御部ＣＯＲをオフにする場合には、電源部ＰＳを強制的にシャットダウンさせてもよい。
【００６６】
かかる赤色制御部ＣＯＲのオン及びオフによって、各発光ダイオード素子を点滅させることができる。
【００６７】
（変更例２）
図３を参照して、本発明の第１の実施形態の変更例２に係る光源装置について説明する。
【００６８】
変更例２に係る光源装置では、制御部ＣＯＮは、光源部ＬＳに供給する電力のパルス幅のＤｕｔｙ比を変更することができるＰＷＭ制御回路を具備する。
【００６９】
具体的には、図３に示すように、制御部ＣＯＮは、赤色発光ダイオード素子ＬＥＤＲに供給する電力のパルス幅のＤｕｔｙ比を変更することができるＰＷＭ制御回路ＸＲと、緑色発光ダイオード素子ＬＥＤＧに供給する電力のパルス幅のＤｕｔｙ比を変更することができるＰＷＭ制御回路ＸＧと、青色発光ダイオード素子ＬＥＤＢに供給する電力のパルス幅のＤｕｔｙ比を変更することができるＰＷＭ制御回路ＸＢとを具備している。
【００７０】
なお、かかるＤｕｔｙ比が高いと、各発光ダイオード素子の明るさは明るくなり、かかるＤｕｔｙ比が低いと、各発光ダイオード素子の明るさは暗くなるものとする。
【００７１】
また、図３の例では、ＰＷＭ制御回路を実現するためのＩＣとして、タイマＩＣ５５５が用いられている。
【００７２】
（変更例３）
図４を参照して、本発明の第１の実施形態の変更例３に係る光源装置について説明する。
【００７３】
変更例３に係る光源装置は、電源部ＰＳが、定電圧回路を具備し、制御部ＣＯＮが、可変抵抗器ＶＲＲ、ＶＲＧ、ＶＲＢを具備する図３のような回路によって実現されている。
【００７４】
（その他の変更例）
なお、本実施形態においては、調色について説明したが、可変抵抗器ＶＲＲ、可変抵抗器ＶＲＧ及び可変抵抗器ＶＲＢの抵抗値を調整して対応する各トランジスタに流す電流値を増加させることにより、調光も同時に可能であり、例えば、明るい赤色、暗い赤色等の調光も同時に実現可能となることは言うまでもない。
【００７５】
また、本実施形態において、制御部ＣＯＮとして定電流制御型のドライバを用い、可変抵抗器により電流を手動にて調整した場合について説明したが、本発明はこれに限定されるものではなく、これに代えて、定電圧制御型、ＰＷＭ制御型又はマイコン制御による制御形式、マイコン制御によるドライバ素子を用いても、本実施形態に係る光源装置と同様の効果が得られることは勿論である。
【００７６】
また、制御部における制御手段として、ジョイステイック型の制御装置や、プログラム制御機構を備えた制御装置又は無線による遠隔制御装置を用いることも可能である。
【００７７】
プログラミングを行うに当たって、季節や時間又は目的別用途等において、自動的に調色できるプリプログラムのほか、利用者又は使用者が固有の目的を持って、任意に色を調色できるようにするプログラムも可能である。
【００７８】
例えば、本発明に係る光源装置を使用することにより、多様のカラー照明を実現することができるため、今までの聴覚に加え、視覚による状況が伝達できる。
【００７９】
一例として、デパートでは、雨が降ると、店内のＢＧＭが変わるのと同じように、本発明に係る光源装置を使用することにより、雨が降ると、ブルーが強調された照明に変わるとか、会社等の休憩時間には、さわやかな淡いグリーンの照明に変わるとか、昼休み等には、アイボリーの照明に変わるとか等、色違いの照明効果を表現することができる。
【００８０】
また、本変更例に係る光源装置によれば、制御部ＣＯＮは、外気温に応じて、光源部ＬＳを構成する赤色発光ダイオード素子ＬＥＤＲと緑色発光ダイオード素子ＬＥＤＧと青色発光ダイオード素子ＬＥＤＢとを制御するように構成されていてもよい。
【００８１】
例えば、本変更例に係る光源装置は、外気温１８℃以下になると、赤系統の照明を放射することで、温暖的雰囲気を強調し、外気温２７℃以上になると、青系統の照明を放射することで、涼しさを演出することができる。
【００８２】
また、本変更例に係る光源装置によれば、制御部ＣＯＮは、特定時間に、光源部ＬＳを構成する赤色発光ダイオード素子ＬＥＤＲ、緑色発光ダイオード素子ＬＥＤＧ及び青色発光ダイオード素子ＬＥＤＢの少なくとも１つを点滅させるように構成されていてもよい。
【００８３】
（本発明の第１の実施形態に係る光源装置の作用・効果）
本実施形態に係る光源装置によれば、制御部ＣＯＮが、赤色発光ダイオード素子ＬＥＤＲ、緑色発光ダイオード素子ＬＥＤＧ及び青色発光ダイオード素子ＬＥＤＢを制御することで、光源部ＬＳからの出射光を任意の色に調整可能となるので、背景技術の課題を解決することができる。
【００８４】
本実施形態に係る光源装置によれば、上述のように、制御部ＣＯＮによって光源部ＬＳからの出射光を任意の色に調整可能であるため、色のばらつきを抑えつつ、ＲＧＢの発光素子ＬＥＤＲ、ＬＥＤＧ、ＬＥＤＢを１つのパッケージに入れることができる。
【００８５】
本実施形態に係る光源装置によれば、光源部ＬＳからの出射光の明るさのムラを抑えることができる。
【００８６】
本実施形態に係る光源装置によれば、フェイスアップ構造では、発光ダイオード素子の上部に電極が配置されており、発光ダイオード素子の下部は電位的に中空であるため、フェイスアップ型の発光ダイオード素子が、直列に配線することが可能であり、輝度を上げるために複数の発光素子を配置する必要がある（特に、色の管理を容易にするためには、複数の発光素子を直列に配置する必要がある）看板照明を含む照明に対する使用に適している。
【００８７】
本実施形態に係る光源装置によれば、使用目的に応じた様々な色を出射することができる。
【００８８】
本実施形態に係る光源装置によれば、利用者が、適宜、手動又は自動で、光源部からの出射光の色を調節することができる。
【００８９】
本実施形態に係る光源装置によれば、室内照明として用いられた場合、外気温度に応じて室内照明の設定を演出を行うことによって、省エネ的効果を狙うことができる。
【００９０】
本実施形態に係る光源装置によれば、緊急事態の発生時に、防災のカットリレーや放送信号と連動して、各発光ダイオード素子を点滅させることと同時に、緊急レベルを色で表現することができる。
【００９１】
本実施形態に係る光源装置によれば、特定時間に、所定の発光ダイオード素子を点滅させることによって、アイキャッチ効果を行うことが可能となる。
【００９２】
また、本実施形態に係る光源装置によれば、広告宣伝の対象物や内容に応じて、調色を行うことができるので、対象物やその内容の性能を充分に引き出し、顧客への訴求効果も充分に向上できる等の極めて優れた効果が得られる。
【００９３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００９４】
【図１】本発明の第１の実施形態に係る光源装置の構成を示す図である。
【図２】本発明の第１の実施形態の変更例１に係る光源装置の構成を示す図である。
【図３】本発明の第１の実施形態の変更例２に係る光源装置の構成を示す図である。
【図４】本発明の第１の実施形態の変更例３に係る光源装置の構成を示す図である。
【符号の説明】
【００９５】
ＬＳ…光源部
ＬＥＤＲ…赤色発光ダイオード素子
ＬＥＤＧ…緑色発光ダイオード素子
ＬＥＤＢ…青色発光ダイオード素子
ＣＯＮ…制御部
ＣＯＲ…赤色制御部
ＣＯＧ…緑色制御部
ＣＯＢ…青色制御部
ＶＲＣ…調色調整抵抗器
ＶＲＲ、ＶＲＧ、ＶＲＢ…可変抵抗器
ＰＳ…電源部
ＣＯＭ…整流回路
ＣＣ…定電流回路又は定電圧回路
Ｒ…抵抗器
ＺＤ…ツェナーダイオード
【図１】
2008085324.tif 000003
【図２】
2008085324.tif 000004
【図３】
2008085324.tif 000005
【図４】
2008085324.tif 000006